(57)【要約】【課題】体積を縮小でき、排煙機としても使用できる送風機を提供する。【解決手段】  一般の内側ロータを備える駆動モータ４０が送風機１０の駆動モータ４０として採用されている以外に、シロッコファン３０に中間隔板３１が設けられており、中間隔板３１にはさらに碗状部３２とハブ部３３とが設けられており、内側ロータを備える駆動モータ４０がちょうど送風機１０内部のシロッコファン３０内部に位置するように設置されており、内側ロータを備える駆動モータ４０の回転軸４１とシロッコファン３０のハブ部３３とが連結されていることによってシロッコファン３０を回転させることができ、送風機１０の体積を縮小できるだけでなく、送風機１０を排煙機５０として使用することもできる。【選択図】  図４
0003111084.tif 000002
【実用新案登録請求の範囲】
【請求項１】
内部が中空であるハウジングと、前記ハウジング内に偏心して収容されているシロッコファンと、駆動モータとから構成されており、
前記ハウジングの前側には排気口が設けられており、左右両側の側板には吸気口が設けられており、
前記シロッコファンには中間隔板が設けられており、前記中間隔板は碗状部およびハブ部を備え、前記駆動モータは複数の固定フレームを備え、前記固定フレームは前記ハウジングの側板上に固定されており、それによって前記駆動モータはちょうどシロッコファンの中間隔板の碗状部内部に位置しており、さらに隙間を保持し、前記駆動モータの回転軸とシロッコファンのハブ部とが連結されていることを特徴とする送風機の構造。
【請求項２】
前側に設けられている排気口と、左右両側の側板に設けられている吸気口と、内部が中空であるハウジングと、前記ハウジングの排気口部分に覆設されている封止蓋と、前記中空であるハウジング内部に偏心して収容されているシロッコファンと、駆動モータとから構成されており、
前記封止蓋には煙道口が設けられており、前記煙道口は前記ハウジングの排気口と連通しており、前記シロッコファンには中間隔板が設けられており、前記中間隔板は碗状部およびハブ部を備え、前記駆動モータは複数の固定フレームを備え、前記固定フレームは前記ハウジングの側板上に固定されており、それによって前記駆動モータはちょうどシロッコファンの中間隔板の碗状部内部に位置しており、さらに隙間を保持し、前記駆動モータの回転軸とシロッコファンのハブ部とが連結されていることを特徴とする送風機の構造。
【請求項３】
前記封止蓋の板面上には、環状部が設けられていることを特徴とする請求項２記載の送風機の構造。
【請求項４】
前記封止蓋には、ストッパ板が設けられており、前記ハウジングの排気口の辺縁に嵌合されていることを特徴とする請求項２または３記載の送風機の構造。
【請求項５】
前記封止蓋には、固定板が設けられており、前記ハウジングの側板には、前記固定板に対応する耳片が設けられていることを特徴とする請求項２、３または４記載の送風機の構造。
【考案の詳細な説明】
【技術分野】
【０００１】
本考案は、送風機の構造に関し、特に、送風機の駆動モータとシロッコファン間の組立構造の改良に関する。
【背景技術】
【０００２】
従来技術による送風機は、体積を縮小するために、すでに本来送風機外部に設置されている駆動モータが内部に設置されており、外側ロータを備えるインダクションモータを使用し、外側ロータを備えるインダクションモータの回転するハウジングの上面にシロッコファンが固定され、外側ロータを備えるインダクションモータの回転を受けてシロッコファンが回転するという構造になっている。
【０００３】
例えば、特許文献１では、シロッコファンを回転させる駆動モータを、送風機内部に設置される外側ロータを備えるインダクションモータとしており、シロッコファンを中間位置のリングに設置することによって、外側ロータを備えるインダクションモータの回転するハウジング上に固定され、外側ロータを備えるインダクションモータがシロッコファン内部に設置され、シロッコファンが外側ロータを備えるインダクションモータの回転するハウジングの回転を受けて回転する構造となっている。
【０００４】
駆動モータを送風機内部に設置するとき、必ず外側ロータを備えるインダクションモータを採用しなければならないわけではなく、一般の内側ロータを備える駆動モータによっても同様の効果を達成することができ、内側ロータを備える駆動モータを送風機内部に設置し、送風機内部のシロッコファンと結合させて回転をさせる構造により送風機の体積縮小を達成するが、前述の従来技術による送風機には改善の余地がある。
【０００５】
その他、従来技術による送風機と従来技術による排煙機は、構造上およそ同一であるが、送風機は直接セントラル空調システム内に使用され、温度調節された空気を室内に送り出すために使用され、一方、排煙機は厨房において排煙管を使用して煙を厨房から排出するために使用される。従って送風機の排気口部分に封止蓋および排煙管を設置すれば送風機を排煙機として使用することができる。
【特許文献１】中国実用新案公告ＣＮ２４０６０８７Ｙ号
【考案の開示】
【考案が解決しようとする課題】
【０００６】
本考案の第一の目的は、送風機の駆動モータとシロッコファン間の構造の改良を提供するものであり、一般の内側ロータを備える駆動モータが採用されている以外に、内側ロータを備える駆動モータがちょうど送風機内部のシロッコファン内部に位置するように設置されており、回転軸の回転によりシロッコファンが回転する構造によって、送風機の体積を縮小可能な送風機の構造を提供することである。
【０００７】
本考案の第２の目的は、シロッコファンに中間隔板が設けられており、中間隔板には碗状部とハブ部とが設けられており、内側ロータを備える駆動モータに複数の固定フレームが設けられており、固定フレームが送風機の吸気口のハウジング上に固定されることによって内側ロータを備える駆動モータの回転軸とシロッコファンのハブ部とが連結され、内側ロータを備える駆動モータの回転軸の回転によりシロッコファンが回転する構造によって、送風機の体積を縮小可能な送風機の構造を提供することである。
【０００８】
本考案の第３の目的は、送風機の排気口部分に封止蓋が覆設されており、封止蓋の板面上には環状部が設けられており、円管状の排煙管を嵌合できる構造によって、送風機を排煙機として使用することができる送風機の構造を提供することである。
【課題を解決するための手段】
【０００９】
上記の課題を解決するために、請求項１の考案は、内部が中空であるハウジングと、前記ハウジング内に偏心して収容されているシロッコファンと、駆動モータとから構成されており、前記ハウジングの前側には排気口が設けられており、左右両側の側板には吸気口が設けられており、前記シロッコファンには中間隔板が設けられており、前記中間隔板は碗状部およびハブ部を備え、前記駆動モータは複数の固定フレームを備え、前記固定フレームは前記ハウジングの側板上に固定されており、それによって前記駆動モータはちょうどシロッコファンの中間隔板の碗状部内部に位置しており、さらに隙間を保持し、前記駆動モータの回転軸とシロッコファンのハブ部とが連結されていることを特徴とする送風機の構造である。
【００１０】
請求項２の考案は、前側に設けられている排気口と、左右両側の側板に設けられている吸気口と、内部が中空であるハウジングと、前記ハウジングの排気口部分に覆設されている封止蓋と、前記中空であるハウジング内部に偏心して収容されているシロッコファンと、駆動モータとから構成されており、前記封止蓋には煙道口が設けられており、前記煙道口は前記ハウジングの排気口と連通しており、前記シロッコファンには中間隔板が設けられており、前記中間隔板は碗状部およびハブ部を備え、前記駆動モータは複数の固定フレームを備え、前記固定フレームは前記ハウジングの側板上に固定されており、それによって前記駆動モータはちょうどシロッコファンの中間隔板の碗状部内部に位置しており、さらに隙間を保持し、前記駆動モータの回転軸とシロッコファンのハブ部とが連結されていることを特徴とする送風機の構造である。
【００１１】
請求項３の考案は、前記封止蓋の板面上には、環状部が設けられていることを特徴とする請求項２記載の送風機の構造である。
【００１２】
請求項４の考案は、前記封止蓋には、ストッパ板が設けられており、前記ハウジングの排気口の辺縁に嵌合されていることを特徴とする請求項２または３記載の送風機の構造である。
【００１３】
請求項５の考案は、前記封止蓋には、固定板が設けられており、前記ハウジングの側板には、前記固定板に対応する耳片が設けられていることを特徴とする請求項２、３または４記載の送風機の構造である。
【考案の効果】
【００１４】
シロッコファンに中間隔板が設けられており、中間隔板にはさらに碗状部とハブ部とが設けられており、内側ロータを備える駆動モータがちょうど送風機内部のシロッコファン内部に位置するように設置されており、内側ロータを備える駆動モータの回転軸とシロッコファンのハブ部とが連結されていることによって、シロッコファンを回転させることができ、送風機の体積を縮小できるだけでなく、送風機を排煙機として使用することができるという効果を奏する。
【考案を実施するための最良の形態】
【００１５】
本考案の好適な実施例を図を参照して説明する。
図１、２、３は本考案の第一実施例による体積を縮小した送風機１０を示す図であり、ハウジング２０と、シロッコファン３０と、内側ロータを備える駆動モータ４０とから構成されている。
【００１６】
前記ハウジング２０内部は中空であり、シロッコファン３０および内側ロータを備える駆動モータ４０は偏心してハウジング２０の中空である内部に設置されており、それにより送風機１０内部に渦巻き状の気流が生成され、気流の導引および気流の加速が行われる。
【００１７】
前記送風機１０に吸気および排気の機能を備えるために、送風機１０のハウジング２０の左右両側の側板２１上には吸気口２２が設けられており、ハウジング２０の前側には排気口２３が設けられている。
【００１８】
前記シロッコファン３０の中間には中間隔板３１が設けられており、中間隔板３１の断面形状は、碗状部３２およびハブ部３３を備え、碗状部３２の内径は駆動モータ４０の外径よりも大きく、ハブ部３３の用途は駆動モータ４０の回転軸４１と連結することである。
【００１９】
前記駆動モータ４０は回転軸４１を備え、シロッコファン３０を回転させるのに使用され、駆動モータ４０の回転軸４１が設置されている位置に相対する他端には複数の固定フレーム４２が設けられている。
【００２０】
前記螺合部材によって駆動モータ４０の固定フレーム４２をハウジング２０の側板２１上面に固定した後、駆動モータ４０は送風機１０のハウジング２０内部に固定され、駆動モータ４０の組立位置は、図３に示すようにちょうどシロッコファン３０の中間隔板３１に設けられている碗状部３２内部となり、隙間を保持し、同時に駆動モータ４０の回転軸４１はボルトによって固定されてシロッコファン３０のハブ部３３と連結され、以上の構造によって送風機１０は体積を縮小できる。
【００２１】
電源を起動すると、送風機１０の駆動モータ４０の回転軸４１がシロッコファン３０を回転させ、空気が吸気口２２から強力に吸入され、排気口２３から強力に排出される。
【００２２】
次に、図４、５、６に示すように、本考案の第二実施例による送風機１０は、送風機１０の排気口２３部分に封止蓋２５が設置されており、本実施形態による送風機１０は排煙機として使用することができる。
【００２３】
前記送風機１０の排気口２３部分に封止蓋２５を設置するために、送風機１０のハウジング２１の左右両側の側板２２上の排気口２３の位置に近い場所にはそれぞれ耳片２４が設けられている。
【００２４】
前記封止蓋２５の背面にはストッパ板２８が設けられており、ストッパ板２８が送風機１０の排気口２３の辺縁に嵌合され、封止蓋２５が覆設される。
【００２５】
封止蓋２５にはまた固定板２６が設けられており、送風機１０の耳片２４に対応した設計となっており、封止蓋２５を送風機１０の排気口２３部分に覆設した後、封止蓋２５の固定板２６と送風機１０の耳片２４との間を螺合部材によって螺合する。
【００２６】
封止蓋２５の板面上には環状部２７が設けられており、円柱状の排煙管６０を嵌設することができ、封止蓋２５のストッパ板２８を限界点としており、環状部２７内部には煙道口２９が形成されており、送風機１０の排気口２３は封止蓋２５の煙道口２９および排煙管６０は外部と連通しており、送風機１０を排煙機として使用することができる。
【００２７】
図６に示すように、本実施例に示す送風機１０は排煙機５０上に設置することができ、電源を起動すると、駆動モータ４０の回転軸４１がシロッコファン３０を回転させ、送風機１０左右両側の吸気口２２部分に強力な吸引力が生成され、煙を吸入した後、排気口２３および封止蓋２５の煙道口２９を通過し、排煙管６０から排出される。
【図面の簡単な説明】
【００２８】
【図１】本考案の第一実施形態による送風機を示す斜視図である。
【図２】本考案の第一実施形態による送風機の構成部材を示す分解図である。
【図３】本考案の第一実施形態による送風機における駆動モータとシロッコファン間の構造を示す断面図である。
【図４】本考案の第二実施形態であり、送風機を排煙機に改造した様子を示す斜視図である。
【図５】本考案の第二実施形態による送風機の排気口部分に封止蓋が覆設される様子を示す分解図である。
【図６】本考案の第二実施形態による送風機を排煙機上に設置した様子を示す斜視図である。
【符号の説明】
【００２９】
１０  送風機
２０  ハウジング
２１  側板
２２  吸気口
２３  排気口
２４  耳片
２５  封止蓋
２６  固定板
２７  環状部
２８  ストッパ板
２９  煙道口
３０  シロッコファン
３１  中間隔板
３２  碗状部
３３  ハブ部
４０  駆動モータ
４１  回転軸
４２  固定フレーム
５０  排煙機
６０  排煙管
【図１】
0003111084.tif 000003
【図２】
0003111084.tif 000004
【図３】
0003111084.tif 000005
【図４】
0003111084.tif 000006
【図５】
0003111084.tif 000007
【図６】
0003111084.tif 000008